(57)【特許請求の範囲】
【請求項１】
伝熱板と、発光素子と、導光部と、表示部とを含む発光装置であって、
前記伝熱板は、一面から他面に延びる貫通孔を有しており、
前記発光素子は、前記伝熱板の一面の側に配置され、放熱面が前記一面の方向を向いており、
前記導光部は、前記発光素子を覆い、前記発光素子の発する光を前記貫通孔に導き、
前記表示部は、前記貫通孔を通じて伝搬してくる前記光を拡散する機能を有し、前記伝熱板の他面の側に設けられている、
発光装置。
【請求項２】
請求項１に記載された発光装置であって、
前記発光素子は、前記放熱面が前記伝熱板に直接に接触している、
発光装置。
【請求項３】
請求項１又は２の何れかに記載された発光装置であって、保温具を含んでおり、
前記保温具は、前記表示部を所定の温度以上に保持する、
発光装置。
【請求項４】
発光装置を含む信号灯器であって、
前記発光装置は、請求項１乃至３の何れかに記載された発光装置であり、信号表示部を構成する、
信号灯器。
【発明の詳細な説明】
【技術分野】
【０００１】
本発明は、発光機能を確保し、加熱性能に優れた発光装置、及び、信号灯器に関する。
【背景技術】
【０００２】
交通信号灯器に代表される信号灯器は、信号表示部に着雪が生じると視認性が低下し、本来の信号表示機能を十分に発揮できないという問題があった。
【０００３】
このような問題を解決する手段として、例えば、特許文献１は、光源として発光ダイオード（ＬＥＤ）を採用し、当該ＬＥＤから放熱される熱を保護部材（信号表示部）に伝導し、信号表示部を加熱することによって着雪を防止する発光装置を開示している。
【０００４】
特許文献１の発光装置は、ＬＥＤの発光を信号表示部に伝搬するために、ＬＥＤの発光面が信号表示部と対向するように配置されており、その結果、ＬＥＤの放熱面が当該発光装置の背面側を向いた状態で配置さている。
【０００５】
このようなＬＥＤの配置では、ＬＥＤの放熱面が信号表示部から遠ざかってしまい、ＬＥＤの放熱する熱の信号表示部に至るまでの熱伝導経路が長いものとなる。
【０００６】
熱伝導におけるフーリエの法則によると、単位面積、単位時間あたりの熱の移動量（熱流束）は、温度勾配に比例するため、熱伝導経路の両端の温度差が一定であることを前提とした場合、熱流速は熱伝導経路が長いほど小さくなるという性質を有する。
【０００７】
したがって、特許文献１の発光装置は、ＬＥＤの放熱した熱の熱伝導経路を短縮化することによって、その熱伝導経路における熱流束を向上させ、信号表示部の加熱性能を向上させる余地が残っていると言える。
【先行技術文献】
【特許文献】
【０００８】
【特許文献１】特開２０１２−２５６６７６号公報
【発明の概要】
【発明が解決しようとする課題】
【０００９】
本発明の課題は、発光機能を確保し、加熱性能に優れた発光装置、及び、信号灯器を提供することである。
【課題を解決するための手段】
【００１０】
上述した課題を解決するため、本発明に係る発光装置は、伝熱板と、発光素子とを含んでいる。伝熱板は、一面から他面に延びる貫通孔を有している。発光素子は、伝熱板の一面の側に配置され、放熱面が伝熱板の一面の方向を向いている。
【００１１】
発光装置は、伝熱板と、発光素子とを含んでおり、発光素子は、伝熱板の一面の側に配置され、放熱面が伝熱板の一面の方向を向いているので、発光素子の放熱面から伝熱板の他面に至るまでの発光素子が放熱した熱の熱伝導経路を最短化することができる。この熱伝導経路が最短化されると、熱伝導経路における熱流束が最大となり、伝熱板の他面における加熱性能も最大となる。
【００１２】
発光装置は、伝熱板が一面から他面に延びる貫通孔を有しているので、発光素子の発する光を、当該貫通孔を通じて伝熱板の一面側から伝熱板の他面側に導く。即ち、発光素子の発光は、伝熱板で遮断されることはなくなり、発光装置は、発光機能が確保される。
【００１３】
発光装置は、導光部と、表示部とを含み、導光部が発光素子を覆い、発光素子の発する光を伝熱板の貫通孔に導き、表示部が貫通孔を通じて伝搬してくる光を拡散する機能を有し、伝熱板の他面の側に設けられていることが好ましい。このような構成によると、発光装置は、発光素子の発光を表示部に効率的に導き、その発光の発光装置外部からの視認性を高めることができる。
【００１４】
発光装置は、発光素子の放熱面が伝熱板に直接に接触していることが好ましい。このような構成によると、発光装置は、前述した熱伝導経路が最短化されており、この熱伝導経路における熱流束が最大となり、伝熱板の他面における加熱性能も最大となる。
【００１５】
発光装置は、保温具を含み、その保温具が表示部を所定の温度以上に保持することが好ましい。このような構成によると、発光装置は、発光素子からの熱供給が行われない場合であっても、表示部を加熱し、表示部における着雪を防止することができる。
【００１６】
本発明は、さらに、信号灯器を開示する。この信号灯器は、前述した発光装置を含み、発光装置が信号表示部を構成することによって、信号表示部の加熱性能に優れ、信号表示部における着雪の防止機能に優れたものとなる。
【発明の効果】
【００１７】
以上に述べたように、本発明によれば、発光機能を確保し、加熱性能に優れた発光装置、及び、信号灯器を提供することができる。
【００１８】
本発明の構成、及び、利点については、添付図面を参照し、更に詳しく説明する。添付図面は、単に、例示に過ぎない。
【図面の簡単な説明】
【００１９】
【図１】本発明の実施形態に係る発光装置の部分破断平面図である。
【図２】図１の２−２線における部分断面図である。
【図３】本発明のもう一つの実施形態に係る発光装置の平面図である。
【図４】図３の４−４線における部分断面図である。
【図５】図１及び図２に示した発光装置を含む信号灯器の平面図である。
【図６】図３及び図４に示した発光装置を含む信号灯器の正面図である。
【発明を実施するための形態】
【００２０】
図１〜図５において、同一又は対応部分には、同一の符号を付与してある。図１及び図２を参照すると、本発明に係る発光装置は、伝熱板２１と、発光素子２２と、導光部２３と、表示部２４と、保温具２５１，２５２とを含んでいる。
【００２１】
伝熱板２１は、熱伝導率の高い金属板であり、例えば、アルミ板、銅板、又は、アルミや銅の合金板である。金属板は、必要に応じて、その表面に絶縁層が塗膜されており、絶縁機能が付与されたものであってもよい。伝熱板２１は、セラミックス板であってもよい。セラミックス板は、絶縁性素材で構成されたもの、又は、導電性素材で構成されたものである。セラミックス板が導電性素材で構成されている場合、絶縁機能が付与されたものであることが好ましい。伝熱板２１は、内部を伝導する熱の熱流束を高める観点から、厚みの小さい薄板であることが好ましい。図示した範囲において、伝熱板２１は、平面視して四角形状であるが、これに限られるものではなく、発光装置の用途に応じて円形状や三角形状等の他の形状であっても構わない。
【００２２】
伝熱板２１は、一面Ｓ２１１から一面Ｓ２１１とは反対側の他面Ｓ２１２に円筒状に延びる複数の貫通孔２１１を有している。図示した範囲において、貫通孔２１１は４つ設けられているが、その数はこれに限定されるものではなく、１つ、又は、５つ以上であってもよい。もっとも、貫通孔２１１の形状は、円筒状に限られるものではなく、任意の形状にすることができる。
【００２３】
発光素子２２は、例えばＬＥＤであって、外面が発光面Ｓ２２１と、放熱面Ｓ２２２とに区分けされている。ＬＥＤとしては、赤色ＬＥＤ、緑色ＬＥＤ、又は、青色ＬＥＤが採用される。発光素子２２は、貫通孔２１１を塞ぐことのないように伝熱板２１の一面Ｓ２１１の側に配置されており、放熱面Ｓ２２２が一面Ｓ２１１の方向を向いた状態で伝熱板２１に直接に接触している。もっとも、放熱面Ｓ２２２と一面Ｓ２１１の間には、熱結合性に優れた接着剤が介在している。発光素子２２は、例えば、伝熱板２１に設けられた配線（図示省略）を介して外部電源（図示省略）に接続することができ、外部電源から電力を供給されると発光面Ｓ２２１から光Ｌ１を発し、その発光にともなう発熱を放熱面Ｓ２２２から放熱する。当該熱は、発光素子２２の放熱面Ｓ２２２のうち伝熱板２１に接触した部分から伝熱板２１の一面Ｓ２１１に伝導し、発光素子２２の放熱面Ｓ２２２から伝熱板２１の他面Ｓ２１２に至るまでの熱伝導経路Ｈ１を経由して、伝熱板２１の他面Ｓ２１２に伝導し、他面Ｓ２１２を加熱する。
【００２４】
導光部２３は、光透過層２３１と、光反射層２３２とを含んでいる。光透過層２３１は、汎用の光透過材料（例えば、アクリル樹脂）で構成されており、発光素子２２の発光面Ｓ２２１を覆っている。光反射層２３２は、汎用の光反射材料で構成されており、例えば光反射シートであって、光透過層２３１の外面を覆っている。発光素子２２の発光面Ｓ２２１から発する光Ｌ１は、光透過層２３１を透過し、光反射層２３２で乱反射を繰り返すことによって、伝熱板２１の貫通孔２１１に導かれる。光透過層２３１、及び、光反射層２３２は、光Ｌ１が貫通孔２１１を通じて、伝熱板２１の他面Ｓ２１２の側に効率的に伝搬するように構成されている。光Ｌ１の伝搬率を高める観点から、光透過層２３１、又は、光反射層２３２は、貫通孔２１１に充填されていてもよい。
【００２５】
表示部２４は、伝熱板２１の他面Ｓ２１２の側に設けられており、伝熱板２１の他面Ｓ２１２を覆っている。図示した範囲において、表示部２４は、伝熱板２１の他面Ｓ２１２に一面Ｓ２４１が直接に接触しており、貫通孔２１１を塞いでいる。表示部２４は光透過性を有しており、例えば、汎用のアクリル板の表面に特殊加工を施したものである。表示部２４は、貫通孔２１１を通じて伝搬し、一面Ｓ２４１から入射してきた光Ｌ１を一面Ｓ２４１とは反対側の他面Ｓ２４２に拡散し、他面Ｓ２４２の全体を光Ｌ１によって面発光させる機能を有している。また、発光素子２２の放熱した熱は、表示部２４の一面Ｓ２４１から表示部２４の内部に伝導し、伝熱板２１の他面Ｓ２１２から表示部２４の他面Ｓ２４２に至るまでの熱伝導経路Ｈ２を経由して、他面Ｓ２４２に伝導して、他面Ｓ２４２を加熱する。
【００２６】
保温具２５１，２５２は、表示部２４の一面Ｓ２４１に設けられた凹部に配置されており、表示部２４を所定の温度以上に保持する機能を備えている。保温具２５１，２５２は、例えば、ヒータ、及び、温度センサから構成することができる。保温具２５１，２５２は、
温度センサで表示部２４の温度を測定し、表示部２４の温度が所定の温度以上にするようにヒータを制御する。
【００２７】
図１及び図２に示した発光装置は、伝熱板２１と、発光素子２２とを含んでおり、発光素子２２は、伝熱板２１の一面Ｓ２１１の側に配置され、放熱面Ｓ２２２が伝熱板２１の一面Ｓ２１１の方向を向いている。このような構成によると、発光装置は、発光素子２２が放熱した熱の熱伝導経路Ｈ１を最短化することができる。熱伝導経路Ｈ１が最短化されると、熱伝導経路Ｈ１における熱流束が最大となり、伝熱板２１の他面Ｓ２１２における加熱性能も最大となる。
【００２８】
図１及び図２において、発光装置は、発光素子２２の放熱面Ｓ２２２が伝熱板２１に直接に接触しているので、熱の熱伝導経路Ｈ１が最短化されており、熱伝導経路Ｈ１における熱流束が最大となり、伝熱板１の他面Ｓ２１２における加熱性能も最大となる。
【００２９】
発光装置は、伝熱板２１が一面Ｓ２１１から他面Ｓ２１２に延びる貫通孔２１１を有しているので、発光素子２２の発する光Ｌ１を、貫通孔２１１を通じて伝熱板２１の一面Ｓ２１１の側から伝熱板１の他面Ｓ２１２の側に導くことができる。即ち、発光素子２２の発光は、伝熱板２１で遮断されることはなくなり、発光装置は、発光機能が確保される。
【００３０】
発光装置は、導光部２３を含み、さらに、導光部２３は、光透過層２３１と、光反射層２３２とを含んでいる。光透過層２３１が発光素子２２の発光面Ｓ２２１を覆い、光反射層２３２が光透過層２３１の外面を覆っている。光透過層２３１、及び、光反射層２３２は、発光素子２２の発光面Ｓ２２１から発する光Ｌ１が光透過層２３１を透過する性質、及び、光反射層２３２で乱反射を繰り返す性質を利用して、光Ｌ１を伝熱板２１の貫通孔２１１に導く。このような構成によると、発光装置は、光Ｌ１を伝熱板２１の他面Ｓ２１２の側に効率的に導くことができる。
【００３１】
発光装置は、表示部２４を含み、表示部２４は、貫通孔２１１を通じて伝搬して一面Ｓ２４１から入射してきた光Ｌ１を他面Ｓ２４２に拡散し、他面Ｓ２４２の全体を光Ｌ１によって面発光させる機能を有している。また、表示部２４は、伝熱板２１の他面Ｓ２１２の側に設けられており、貫通孔２１１を塞ぐように伝熱板２１の他面Ｓ２１２を覆っている。このような構成によると、発光装置は、発光素子２２の発光、即ち、光Ｌ１の発光装置の外部からの視認性を高めることができる。
【００３２】
表示部２４の一面Ｓ２４１は、伝熱板２１の他面Ｓ２１２に直接に接触しているので、発光装置は、熱伝導経路Ｈ２が最短化されており、発光素子２２の放熱した熱の熱伝導経路Ｈ２における熱流速が最大となり、表示部２４の他面Ｓ２４２における加熱性能も最大となる。
【００３３】
発光装置は、保温具２５１，２５２を含み、その保温具２５１，２５２が表示部２４を所定の温度以上に保持するので、発光素子２２からの熱供給が行われない場合（例えば、発光素子２２に対する外部電源からの電力供給が遮断され、発光素子２２が発光及び放熱しない場合）であっても、表示部２４を加熱し、表示部２４における着雪を防止できる。
【００３４】
本発明に係る発光装置は、図３及び図４に示すようにもう一つの形態を採用することができる。図３は、本発明のもう一つの実施形態に係る発光装置の平面図である。図４は、図３の４−４線における部分断面図である。図３及び図４については、図１及び図２の発光装置と相違する点を中心に説明する。図３及び図４の発光装置は、図１及び図２の発光装置とは、伝熱板２１、発光素子２２、及び、導光部２３の態様が異なっており、また、配線基板２６と、断熱層２７とを含んでいる点で異なっている。
【００３５】
伝熱板２１は、一面Ｓ２１１から他面Ｓ２１２に円筒状に延びる複数の貫通孔２１１を有しており、平面形状が円形となっている。貫通孔２１１は、伝熱板２１の全体にわたって略均一に設けられている。貫通孔２１１の数や形状、及び、伝熱板２１の平面形状などは図示したものに限られる訳ではない。
【００３６】
配線基板２６は、汎用のものであって、絶縁性基板に電極（図示省略）と、配線パターン（図示省略）とが設けられたものである。配線基板２６は、電極に外部電源の端子（図示省略）を接続することによって、配線基板の一面Ｓ２６１に搭載された電子部品に対して配線パターンを介して電力を供給することができる。また、配線基板２６は、一面Ｓ２６１から一面Ｓ２６１とは反対側の他面Ｓ２６２に円筒状に延びる複数の貫通孔２６１を有しており、貫通孔２６１が伝熱板２１の貫通孔２１１に重なる、即ち、連続するようにして、他面Ｓ２６２が伝熱板２１の一面Ｓ２１１に着脱可能に取り付けられている。配線基板２６の形状は、任意の形状にすることができるが、伝熱板２１と同形とすることが好ましい。
【００３７】
発光装置は、複数の発光素子２２を含んでいる。複数の発光素子２２のそれぞれは、図１及び図２に示した発光素子２２と同じものである。複数の発光素子２２は、配線基板２６の一面Ｓ２６１の側において、貫通孔２６１を塞ぐことのないように配置されている。複数の発光素子２２は、放熱面Ｓ２２２が一面Ｓ２６１の方向を向いた状態で配線基板２６に直接に接触しており、配線基板２６によって一体化されている。もっとも、放熱面Ｓ２２２と一面Ｓ２６１の間には、熱結合性に優れた接着剤が介在している。
【００３８】
複数の発光素子２２のそれぞれは、配線基板２６に設けられた配線パターンを介して外部電源（図示省略）に接続することができ、外部電源から電力を供給されると発光面Ｓ２２１から光Ｌ１を発し、その発光にともなう発熱を放熱面Ｓ２２２から放熱する。当該熱は、発光素子２２の放熱面Ｓ２２２のうち配線基板２６に接触した部分から配線基板２６の一面Ｓ２６１に伝導し、発光素子２２の放熱面Ｓ２２２から配線基板２６を通過して伝熱板２１の他面Ｓ２１２に至るまでの熱伝導経路Ｈ３を経由して、伝熱板２１の他面Ｓ２１２に伝導し、他面Ｓ２１２を加熱する。
【００３９】
導光部２３は、光透過層２３１と、光反射層２３２とを含んでいる。光透過層２３１、及び、光反射層２３２は、図１及び図２に示したものと同様の素材で構成できる。光透過層２３１は、複数の発光素子２２の全ての発光面Ｓ２２１を覆っている。光反射層２３２は、光透過層２３１の外面を覆っている。複数の発光素子２２が発光面Ｓ２２１から発する光Ｌ１は、光透過層２３１を透過し、光反射層２３２で乱反射を繰り返して、伝熱板２１、及び、配線基板２６に設けられた貫通孔２１１，２６１に導かれる。光透過層２３１、及び、光反射層２３２は、光Ｌ１が貫通孔２１１，２６１を通じて、伝熱板２１の他面Ｓ２１２の側に効率的に伝搬するように構成されている。光Ｌ１の伝搬率を高める観点から、光透過層２３１、又は、光反射層２３２は、貫通孔２１１，２６１に充填されていてもよい。
【００４０】
断熱層２７は、伝熱板２１の側面の全体、配線基板２６の側面の全体、及び、導光部２３の外面の全体を覆っている。断熱層２７は、熱伝導率の小さい素材で構成されている。断熱層２７は、公知の無機繊維系断熱材、発泡プラスチック系断熱材、又は、天然素材系断熱材で構成することができる。
【００４１】
図３及び図４において発光装置は、複数の発光装置２２を含んでおり、導光部２３が複数の発光素子２２の全ての発光面Ｓ２２１を覆っているので、図１及び図２の発光装置よりも多くの光源を確保し、表示部２４の他面Ｓ２４２における面発光量を高めることができる。
【００４２】
発光装置は、配線基板２６の貫通孔２６１と伝熱板２１の貫通孔２１１が互い重なる、即ち、貫通孔２１１，２６１が連続しているので、発光素子２２の発する光Ｌ１を貫通孔２１１，２６１を通じて伝熱板２１の他面Ｓ２１２の側に導くことができる。即ち、複数の発光素子２２の発する光Ｌ１は、伝熱板２１、及び、配線基板２６で遮断されることはなくなり、発光装置は発光機能が確保される。
【００４３】
発光装置は、配線基板２６が、伝熱板２１の一面Ｓ２１１に着脱可能に取り付けられており、複数の発光素子２２が配線基板２６によって一体化されているので、複数の発光素子２２を一体的に取り扱うことができる。
【００４４】
複数の発光素子２２は、配線基板２６の一面Ｓ２６１の側に配置され、放熱面Ｓ２２２が一面Ｓ２６１の方向を向いた状態で配線基板２６に直接に接触しており、配線基板２６は、他面Ｓ２６２が伝熱板２１の一面Ｓ２１１に取り付けられている。このような構成によると、発光装置は、熱伝導経路Ｈ３が最短化され、発光素子２２の放熱した熱に関する熱伝導経路Ｈ３における熱流束が最大となり、伝熱板２１の他面Ｓ２１２における加熱性能も最大となる。
【００４５】
発光装置は、断熱層２７を含み、断熱層２７が伝熱板２１の側面の全体、配線基板２６の側面の全体、及び、導光部２３の外面の全体を覆っている。断熱層２７は、熱伝導率が小さい。このような構成によると、複数の発光素子２２の放熱する熱は、表示部２４に伝導しやすくなり、発光装置は、表示部２４の加熱性能がより一層高まる。
【００４６】
図３及び図４から必ずしも明らかではないが、発光装置は、複数の発光素子２２が配線基板６を介さずに伝熱板２１の一面Ｓ２１１に直接に接触し、伝熱板２１によって一体化された構成とすることもできる。このような構成によると、熱伝導経路Ｈ３が配線基板２６の厚み分だけ短縮化されるため、熱伝導経路Ｈ３における熱流束は一層高まる。
【００４７】
図５は、図１及び図２に示した発光装置を含む信号灯器の平面図である。図５を参照すると、信号灯器は、配線基板６と、複数の発光装置１１１〜１ＮＭとを含んでいる。
【００４８】
配線基板６は、汎用のものであって、絶縁性基板に電極（図示省略）と、配線パターン（図示省略）とが設けられている。配線基板６は、電極に外部電源の端子（図示省略）を接続することによって、配線基板６の一面Ｓ６１に搭載された電子部品に対して配線パターンを介して電力を供給することができる。
【００４９】
複数の発光装置１１１〜１ＮＭは、Ｎ行Ｍ列（Ｎ及びＭは、Ｎ＋Ｍ≧３，Ｎ≧１，及び、Ｍ≧１の関係を満たす整数）のマトリクス状に配線基板６の一面Ｓ６１に配置されている。
複数の発光装置１１１〜１ＮＭのそれぞれは、図１及び図２に示した発光装置と同様の構成を有しており、配線基板６によって一体化されている。複数の発光装置１１１〜１ＮＭは、必ずしもマトリクス状に配置される必要は無く、ランダムな配置とすることもできる。
【００５０】
複数の発光装置１１１〜１ＮＭのそれぞれは、配線基板６の配線パターンに接続されており、また、配線基板６の一面Ｓ６１の側を平面視すると表示部２４の他面Ｓ２４２が視認される状態になっている。また、複数の発光装置１１１〜１ＮＭは、信号灯器の信号表示部を構成する。より具体的には、各表示部Ｓ２４２が全体として信号表示部として機能する。
【００５１】
複数の発光装置１１１〜１ＮＭのそれぞれは、配線パターンを介して電力供給されると表示部２４が発光する。図５から必ずしも明らかではないが、複数の発光装置１１１〜１ＮＭのそれぞれは、内蔵する発光素子（図１及び図２に示す発光素子２２に対応）として、赤色ＬＥＤ、緑色ＬＥＤ、又は、青色ＬＥＤのいずれかを採用しており、採用したＬＥＤに特有の色で表示部２４の他面Ｓ２４２が面発光する。
【００５２】
複数の発光装置１１１〜１ＮＭは、信号灯器の用途に応じて、各表示部２４の発光を制御することができる。例えば、信号灯器が信号表示部分に矢印信号を表示する必要がある場合においては、複数の発光装置１１１〜１ＮＭは、面発光した表示部２４が全体として矢印信号として認識されるように発光が制御される。
【００５３】
信号灯器は、複数の発光装置１１１〜１ＮＭのそれぞれが、図１及び図２に示した発光装置と同じ構成となっているため、表示部２４の加熱性能が最大化される。また、各表示部２４は、全体として信号表示部分として機能する。このような構成によると、信号灯器は、信号表示部の加熱性能に優れ、信号表示部における着雪の防止機能に優れたものとなる。したがって、信号灯器は、雪国において使用しても、信号表示部の視認性が低下するという不具合を防止できる。
【００５４】
図６は、図３及び図４に示した発光装置を複数含む信号灯器の正面図である。図６を参照すると、信号灯器は、３つの発光装置３１〜３３と、ケーシング８と、３つのバイザ８１〜８３とを含んでいる。
【００５５】
発光装置３１〜３３のそれぞれは、図３及び図４に示した発光装置と同様の構成となっている。紙面左側の発光装置３１は、表示部２４が青色に面発光するように構成されている。紙面中央の発光装置３２は、表示部２４が黄色に面発光するように構成されている。紙面右側の発光装置３３は、表示部２４が赤色に面発光するように構成されている。
【００５６】
ケーシング８は、発光装置３１〜３３の各表示部２４が露出するように発光装置３１〜３３を包囲し、且つ、支持している。バイザ８１〜８３のそれぞれは、発光装置３１〜３３の上方に配置されており、ケーシング８に取り付けられている。バイザ８１〜８３がケーシング８設けられていることによって、信号灯器は、発光装置３１〜３３の表示部４に雪が付着する不具合を軽減することができる。
【００５７】
信号灯器は、発光装置３１〜３３で信号表示部を構成しており、所定の時間単位で発光装置３１〜３３の表示部２４の面発光を切り替えることによって、この面発光が交通信号として認識される。即ち、信号灯器は、発光装置３１〜３３の表示部２４が信号表示部として機能する。
【００５８】
信号灯器は、複数の発光装置３１〜３３のそれぞれが、図３及び図４に示した発光装置と同様の構成を有するため、表示部２４の加熱性能が最大化される。また、各表示部２４は、信号表示部分として機能する。このような構成によると、信号灯器は、信号表示部の加熱性能に優れ、信号表示部分における着雪の防止機能に優れたものとなる。したがって、信号灯器は、雪国において使用しても、信号表示部の視認性が低下するという不具合を防止することができる。
【００５９】
以上、好ましい実施例を参照して本発明の内容を具体的に説明したが、本発明の基本的技術思想、及び、教示に基づいて、当業者であれば、種々の変形態様を採り得ることは自明である。
【符号の説明】
【００６０】
１１１〜１ＮＭ      発光装置
２１                    伝熱板
２１１                  貫通孔
Ｓ２１１                一面
Ｓ２１２                他面
２２                    発光素子
Ｓ２２１                一面
Ｓ２２２                他面
２３                    導光部
２３１                  光透過層
２３２                  光反射層
２４                    表示部
Ｓ２４１                一面
Ｓ２４２                他面
２５１，２５２          保温具
２６                    配線基板
２６１                  貫通孔
Ｓ２６１                一面
Ｓ２６２                他面
２７                    断熱層
３１〜３３              発光装置
６                      配線基板
Ｓ６１                  一面
８                      ケーシング
８１〜８３              バイザ
Ｈ１〜Ｈ３              熱伝導経路
Ｌ１                    光
【要約】
【課題】本発明の課題は、発光機能を確保し、加熱性能に優れた発光装置、及び、信号灯器を提供することである。
【解決手段】本発明に係る発光装置は、伝熱板２１と、発光素子２２とを含む。伝熱板２１は、一面Ｓ２１１から他面Ｓ２１２に延びる貫通孔２１１を有している。発光素子２２は、伝熱板２１の一面Ｓ２１１の側に配置され、放熱面Ｓ２２２が一面Ｓ２１１の方向を向いている。
【選択図】図２【図１】
0005557363.tif 000002
【図２】
0005557363.tif 000003
【図３】
0005557363.tif 000004
【図４】
0005557363.tif 000005
【図５】
0005557363.tif 000006
【図６】
0005557363.tif 000007